(57)【要約】      （修正有）【課題】被写体の低輝度環境下における写真撮影時に、被写体を照らす補助ライトの発光量を自動的に調整することが可能なカメラおよび補助ライト付き携帯電話機を提供する。【解決手段】光センサー（図示せず）は、設定された液晶ディスプレイに写される画像の輝度を検知し、制御部１０１に入力する。制御部１０１は、この検知した輝度に基づき，補助ライト１０６のからの発光量を設定する。次に、制御部１０１は、カメラ１０５からの画像入力を受信し、設定された液晶ディスプレイに画像を表示する。キーボード１０４より写真撮影要求を受けた制御部１０１は、設定された発光量で補助ライト１０６を点灯して、写真撮影を行い、写真撮影後、補助ライトを消灯する。【選択図】        図２
2004194083.tif 000002
【特許請求の範囲】
【請求項１】
無線通信網を利用した無線通信機能を有する携帯電話機であって、
被写体の写真を撮影するためのカメラと、
前記カメラを使用し前記被写体を撮影する時に、前記被写体から発する被写体輝度が小さい場合に、前記被写体輝度に応じて必要な発光量の光を発し、前記被写体を照らす補助ライトとを有することを特徴とするカメラおよび補助ライト付き携帯電話機。
【請求項２】
前記被写体から発する被写体輝度は、光センサーにより測定することを特徴とする請求項１記載のカメラおよび補助ライト付き携帯電話機。
【請求項３】
前記被写体を表示する正面側ディスプレイと背面側ディスプレイとをさらに有し、
前記カメラは、前記背面側液晶ディスプレイが設置されている前記携帯電話機の背面と同一面に設置され、
前記カメラがとらえた前記被写体の映像は、前記正面側液晶ディスプレイまたは前記背面側液晶ディスプレイに表示されることを特徴とする請求項１記載のカメラおよび補助ライト付き携帯電話機。
【請求項４】
前記被写体を表示する正面側ディスプレイと背面側ディスプレイとをさらに有し、
前記カメラは、前記正面側液晶ディスプレイが設置されている前記携帯電話機の正面と同一面に設置され、
前記カメラがとらえた前記被写体の映像は、前記正面側液晶ディスプレイまたは前記背面側液晶ディスプレイに表示されることを特徴とする請求項１記載のカメラおよび補助ライト付き携帯電話機。
【請求項５】
携帯電話機の使用者は、前記カメラがとらえた前記被写体の映像を、前記正面側液晶ディスプレイか前記背面側液晶ディスプレイかのどちらかに表示させるかを、設定することを特徴とする請求項３または４記載のカメラおよび補助ライト付き携帯電話機。
【請求項６】
前記補助ライトは、前記カメラが設置されている面と同一面に設置され、発光ダイオードにより構成され、
前記被写体から発する前記被写体輝度が小さい場合に、前記発光ダイオードに流れる電流が制御され、前記発光ダイオードからの発光量が自動的に必要な発光量に決められ、前記補助ライトが発光することを特徴とする請求項１記載のカメラおよび補助ライト付き携帯電話機。
【請求項７】
前記補助ライトは、前記カメラが設置されている面と同一面に設置され、発光ダイオードにより構成され、
携帯電話機の使用者の設定に応じて、前記発光ダイオードに流れる電流が制御され、前記発光ダイオードからの発光量が決められ、前記補助ライトが発光することを特徴とする請求項１記載のカメラおよび補助ライト付き携帯電話機。
【請求項８】
前記カメラは１個であり、前記カメラのレンズは、前記携帯電話機の正面側と背面側との両面に有し、
前記被写体を表示する正面側ディスプレイと背面側ディスプレイとをさらに有し、
前記補助ライトは、前記携帯電話機の正面側と背面側との両面に有し、
前記正面側の前記補助ライトは前記カメラの前記正面側レンズに対応し、
前記背面側の前記補助ライトは前記カメラの前記背面側レンズに対応し、
携帯電話機の使用者は、前記レンズの正面側または背面側を選択し、さらに、前記被写体映像を表示する前記正面側ディスプレイまたは前記背面側ディスプレイを選択し、
前記選ばれたレンズを使用し前記被写体の写真を撮影する時に、前記被写体輝度に応じ、対応する前記補助ライトが発光することを特徴とする請求項１記載のカメラおよび補助ライト付き携帯電話機。
【発明の詳細な説明】
【０００１】
【発明の属する技術分野】
本発明は、カメラを備えた携帯電話機に関し、特に、撮影時の補助ライト付き携帯電話機に関する。
【０００２】
【従来の技術】
従来、カメラを備えた携帯電話機や、さらに照明機構を備えた携帯電話機が開示されている。従来の携帯電話機について、特許文献を参照し説明する。
【０００３】
【特許文献１】
特開２００１−３２０４５４号公報
【特許文献２】
特開２００２−２３２５４４号公報
【０００４】
特許文献１記載の発明であるカメラ付き携帯電話機においては、使用者自身を撮影する場合は、液晶の画面を見て撮影ボタンを押し、使用者でない人物や風景を撮影する場合は、光学ファインダーを見て撮影ボタンを押す技術が開示されている。
【０００５】
特許文献２記載の発明である携帯型無線電話機においては、ストロボユニットをアンテナに一体的に構成し且つストロボユニットを撮影光学系部材から遠ざかるように移動自在に構成したことで、ストロボ発光モード撮影時における赤目現象の発生を防止する技術が開示されている。
【０００６】
特許文献１記載のカメラ付き携帯電話機においては、カメラを正面側に内蔵し、携帯電話機の正面側にカメラファインダーとしての機能を備えた液晶ディスプレイを装備している。また、背面側からカメラの画像を見るために、背面側に光学ファインダーを設置している。
【０００７】
特許文献２記載の発明である携帯型無線電話機においては、被写体の低輝度環境下での写真撮影用のために被写体を照らし出すストロボを内蔵している。ストロボの発光量の設定については、特に記述がなく、また、一方の面から見た映像を確認する液晶ディスプレイが設置されている。
【０００８】
カメラ付き携帯電話機においては、カメラが携帯電話機の使用者側を向いている配置ものと、使用者の背面を向いているものとがある。
【０００９】
まず、カメラが携帯電話機の使用者側を向いている配置の場合を考察する。使用者自身を撮影する場合は、カメラファインダーとして携帯電話機の正面側液晶ディスプレイが使われる。また、使用者ではない人物や風景を撮影する場合は、カメラファインダーとして携帯電話機の背面から正面方向を見る光学ファインダーが使われる。
【００１０】
しかしながら、使用者自身を撮影する場合と、使用者ではない人物や風景を撮影する場合とでは、被写体の携帯電話機からの距離が異なる。従って、被写体が低輝度環境下にある場合、補助ライト付きの携帯電話機において、補助ライトの発光量も、携帯電話機からの距離によって調整が必要であり、発光量の調整がない場合、適切な映像が撮影できないという問題がある。
【００１１】
すなわち、予め設定された補助ライトの発光量が、被写体との距離が小さくなる携帯電話機の正面側液晶ディスプレイをカメラファインダーとして使用する時に合わされていた場合、すなわち、使用者自身を被写体とするような場合に補助ライトの発光量が設定されていると想定する。この場合、被写体との距離が大きくなる携帯電話機の背面側から見る光学ファインダーを使用し撮影する時には、すなわち、ある風景とか使用者自身ではない人物を被写体とする時には、補助ライトの発光量が不足してしまい、補助ライトとして機能しないということである。
【００１２】
また、予め設定された補助ライトの発光量が、被写体との距離が大きく携帯電話機の背面側から見ている光学ファインダーを使用し撮影する時に合わされていた場合、被写体との距離が小さくなる携帯電話機の正面側液晶ディスプレイをカメラファインダーとして使用する時には、補助ライトを発光させることにより、必要以上に電力を消費してしまい、携帯電話機の使用時間が短くなってしまうという問題がある。
【００１３】
さらに、補助ライトの発光量を携帯電話機の使用者が変更できるとしても、カメラファインダーとして使用する液晶ディスプレイや光学ファインダーに合わせて、補助ライトの発光量の設定を携帯電話機の使用者が変更しなければならないという問題がある。
【００１４】
その理由は、カメラファインダーとして使用するのが正面側液晶ディスプレイか、背面側から見ている光学ファインダーかを検出して補助ライトの発光量設定を自動的に切り替える手段が設けられていないためである。
【００１５】
上記の説明では、カメラが携帯電話機の使用者側を向いている配置の場合を述べたが、カメラが携帯電話機の使用者の背面側を向いている場合でも、カメラから被写体への距離の違いにより、補助ライトの発光量においては同様の問題が発生する。
【００１６】
【発明が解決しようとする課題】
本発明は、上記問題点に鑑みてなされたものであり、携帯電話機の使用者自身を撮影する場合でも、使用者ではない人物や風景を撮影する場合でも、被写体の低輝度環境下における写真撮影時に、被写体を照らす補助ライトの発光量を自動的に調整することが可能なカメラおよび補助ライト付き携帯電話機を提供することを目的とする。
【００１７】
【課題を解決するための手段】
上記目的を達成するために、請求項１記載の発明のカメラおよび補助ライト付き携帯電話機は、無線通信網を利用した無線通信機能を有する携帯電話機であって、被写体の写真を撮影するためのカメラと、前記カメラを使用し前記被写体を撮影する時に、前記被写体から発する被写体輝度が小さい場合に、前記被写体輝度に応じて必要な発光量の光を発し、前記被写体を照らす補助ライトとを有することを特徴としている。
【００１８】
請求項２記載の発明は、請求項１記載の発明において、前記被写体から発する被写体輝度は、光センサーにより測定することを特徴としている。
【００１９】
請求項３記載の発明は、請求項１記載の発明において、前記被写体を表示する正面側ディスプレイと背面側ディスプレイとをさらに有し、前記カメラは、前記背面側液晶ディスプレイが設置されている前記携帯電話機の背面と同一面に設置され、前記カメラがとらえた前記被写体の映像は、前記正面側液晶ディスプレイまたは前記背面側液晶ディスプレイに表示されることを特徴としている。
【００２０】
請求項４記載の発明は、請求項１記載の発明において、前記被写体を表示する正面側ディスプレイと背面側ディスプレイとをさらに有し、前記カメラは、前記正面側液晶ディスプレイが設置されている前記携帯電話機の正面と同一面に設置され、前記カメラがとらえた前記被写体の映像は、前記正面側液晶ディスプレイまたは前記背面側液晶ディスプレイに表示されることを特徴としている。
【００２１】
請求項５記載の発明は、請求項３または４記載の発明において、携帯電話機の使用者は、前記カメラがとらえた前記被写体の映像を、前記正面側液晶ディスプレイか前記背面側液晶ディスプレイかのどちらかに表示させるかを、設定することを特徴としている。
【００２２】
請求項６記載の発明は、請求項１記載の発明において、前記補助ライトは、前記カメラが設置されている面と同一面に設置され、発光ダイオードにより構成され、前記被写体から発する前記被写体輝度が小さい場合に、前記発光ダイオードに流れる電流が制御され、前記発光ダイオードからの発光量が自動的に必要な発光量に決められ、前記補助ライトが発光することを特徴としている。
【００２３】
請求項７記載の発明は、請求項１記載の発明において、前記補助ライトは、前記カメラが設置されている面と同一面に設置され、発光ダイオードにより構成され、携帯電話機の使用者の設定に応じて、前記発光ダイオードに流れる電流が制御され、前記発光ダイオードからの発光量が決められ、前記補助ライトが発光することを特徴としている。
【００２４】
請求項８記載の発明は、請求項１記載の発明において、前記カメラは１個であり、前記カメラのレンズは、前記携帯電話機の正面側と背面側との両面に有し、前記被写体を表示する正面側ディスプレイと背面側ディスプレイとをさらに有し、前記補助ライトは、前記携帯電話機の正面側と背面側との両面に有し、前記正面側の前記補助ライトは前記カメラの前記正面側レンズに対応し、前記背面側の前記補助ライトは前記カメラの前記背面側レンズに対応し、携帯電話機の使用者は、前記レンズの正面側または背面側を選択し、さらに、前記被写体映像を表示する前記正面側ディスプレイまたは前記背面側ディスプレイを選択し、前記選ばれたレンズを使用し前記被写体の写真を撮影する時に、前記被写体輝度に応じ、対応する前記補助ライトが発光することを特徴としている。
【００２５】
【発明の実施の形態】
以下、添付図面を参照し、本発明の実施形態を詳細に説明する。
【００２６】
図１は、本発明のカメラおよび補助ライト付き携帯電話機の実施形態を示す外観斜視図である。図１においては、折りたたみ式携帯電話機を示し、携帯電話機における各種機能の内、本発明に関係する機能のみを表示している。また、図１の（ａ）は、折りたたみ式携帯電話機の開いた状態、すなわち正面側を示し、（ｂ）は、折りたたみ式携帯電話機の閉じた状態、すなわち、背面側を示している。
【００２７】
図１に示すように、カメラ１０５および補助ライト１０６は、背面側ディスプレイ１０３の配置される背面側に配置されている。また、アンテナ１０８も、背面側に配置されている。正面側ディスプレイ１０２およびキーボード１０４は正面側に配置されている。また、撮影ボタン１０９は、正面側画像および背面側画像のどちらでも撮影可能のように、携帯電話機の横側に配置されている。
【００２８】
従って、本実施形態では、使用者自身を撮影する時は、背面側ディスプレイ１０３をカメラファインダーとして使用し、使用者ではない人物や風景を撮影する時は、正面側ディスプレイ１０２をカメラファインダーとして使用する。すなわち、本実施形態では、光学ファインダーを使用せずに、通常は、月日や時刻を表示している背面側ディスプレイ１０３をカメラファインダーとしても使用する。
【００２９】
図２は、本発明のカメラおよび補助ライト付き携帯電話機の実施形態の制御を示すブロック図である。図２に示すように、本発明のカメラおよび補助ライト付き携帯電話機は、携帯電話網との無線通信を行う無線部１０７およびアンテナ１０８、写真撮影用のカメラ１０５、被写体の低輝度環境下において被写体を照らす補助ライト１０６、携帯電話機の操作を行うキーボード１０４、カメラファインダー機能を備えた表示装置としての正面側液晶ディスプレイ１０２および背面側液晶ディスプレイ１０３、および携帯電話機の各種制御を行う制御部１０１を有して構成されている。
【００３０】
アンテナ１０８は無線部１０７に接続されており、無線部１０７、正面側液晶ディスプレイ１０２、背面側液晶ディスプレイ１０３、キーボード１０４、カメラ１０５、補助ライト１０６は制御部１０１に接続されている。
【００３１】
写真撮影時、カメラ１０５からの受信画像は、制御部１０１によりカメラファインダーとして選択された正面側液晶ディスプレイ１０２または背面側液晶ディスプレイ１０３へ表示される。本発明では、カメラファインダーとして、正面側液晶ディスプレイ１０２に加え、背面側液晶ディスプレイ１０３も使用している。すなわち、使用者自身を撮影する場合は、カメラ１０５からの映像を、背面側液晶ディスプレイ１０３で見ており、使用者が使用者でない人物や風景を撮影する場合は、使用者は正面側液晶ディスプレイ１０２を見て、撮影画像を確認する。
【００３２】
背面側または正面側の画像を見るために、従来例のように、光学ファインダーを設けることも可能であるが、背面側または正面側の両面に液晶ディスプレイを有する携帯電話機においては、これらの液晶ディスプレイを有効活用することにより、光学ファインダーを削除し、コストダウンをはかることができる。
【００３３】
補助ライト１０６は、発光ダイオードによって構成する。発光ダイオードからの発光量（照度）は、発光ダイオードに供給する電流の大小により大きくなったり小さくなったりする。カメラ１０５からの撮影画像の入力により、光センサー（図示せず）などにより、撮影する画像の環境の明るさ（輝度）を検知し、検知結果を制御部１０１に入力する。制御部１０１は、この検知結果を基に、補助ライト１０６から発光する発光量を決定し、補助ライト１０６を発光させる。
【００３４】
従って、背面側液晶ディスプレイ１０３を見て、例えば、使用者自身を撮影する場合は、一般に、カメラ１０５から被写体までの距離が短いので、自動的に補助ライト１０６から発光する発光量は、小さくなる。また、正面側液晶ディスプレイ１０２を見て、例えば、使用者でない人物や風景を撮影する場合は、一般に、カメラ１０５から被写体までの距離が長いので、自動的に補助ライト１０６から発光する発光量（照度）は、大きくなる。
【００３５】
ここで、先に述べたように、補助ライト１０６からは、複数の発光量を設定できるので、正面側液晶ディスプレイ１０２を使用する場合で数種類、背面側液晶ディスプレイ１０３を使用する場合で数種類と設定できる。
【００３６】
以上の説明では、光センサーなどにより、撮影する画像の環境の明るさ（輝度）を検知し、自動的に補助ライト１０６からの照度を決定したが、使用者が、特に、補助ライト１０６からの発光量（照度）を設定したい場合は、使用者はキーボード１０４より照度設定を入力する。制御部１０１は、キーボード１０４からの入力により、補助ライト１０６から設定された照度の光を撮影時に発光する。
【００３７】
図３は、本発明のカメラおよび補助ライト付き携帯電話機の実施形態の動作を示すフローチャートである。図１から３を参照し、本発明のカメラおよび補助ライト付き携帯電話機の実施形態の動作を詳細に説明する。図３のフローチャートにおいては、被写体の低輝度環境における動作を示している。
【００３８】
写真撮影時、携帯電話機の使用者は、キーボード１０４を操作し、写真撮影を入力する。この写真撮影の入力により制御部１０１はカメラ１０５を起動する（ステップＳ１）。さらに、使用者は、キーボード１０４を操作し、カメラファインダーとして使用する液晶ディスプレイを正面側液晶ディスプレイ１０２または背面側液晶ディスプレイ１０３に設定し、制御部１０１は、正面側液晶ディスプレイ１０２または背面側液晶ディスプレイ１０３を起動する（ステップＳ２）。光センサー（図示せず）は、設定された液晶ディスプレイに写される画像の明るさ（輝度）を検知し、制御部１０１に入力する。制御部１０１は、この検知した輝度に基づき、補助ライト１０６のからの発光量を設定する（ステップＳ３）。
【００３９】
次に、制御部１０１は、カメラ１０５からの画像入力を受信し（ステップＳ４）、ステップＳ２において設定された液晶ディスプレイに画像を表示する（ステップＳ５）。
【００４０】
キーボード１０４より写真撮影要求を受けた制御部１０１は（ステップＳ６のＹｅｓ）、撮影ボタン１０９が押されると同時に、ステップＳ３で設定された発光量で補助ライト１０６を点灯して（ステップＳ７）、写真撮影を行い（ステップＳ８）、写真撮影後、補助ライトを消灯する（ステップＳ９）。
【００４１】
ここで、特に補助ライトの発光が必要でない環境の場合は、ステップ３での発光量設定がゼロであり、ステップＳ７およびＳ９の補助ライト１０６の発光のオン／オフは行われない。
【００４２】
以上説明したように、補助ライト１０６の発光量は、被写体の低輝度環境下において、選択されたカメラファインダーが正面側液晶ディスプレイ１０２か背面側液晶ディスプレイ１０３かによって、制御部１０１により自動的に設定される。しかしながら、携帯電話機の使用者が、補助ライト１０６の発光量を被写体の明るさ（輝度）にかかわらず設定したい場合は、携帯電話機の使用者によりキーボード１０４からの入力により、手動により別途設定することもできる。
【００４３】
また、液晶ディスプレイを正面側と背面側の２面に備える場合を説明したが、液晶ディスプレイを一面のみに備え、一方の面には、被写体を写す鏡などを備える携帯電話機にも、本発明は、適用することができる。
【００４４】
本発明の実施形態では、折りたたみ式の携帯電話機での補助ライトについて説明したが、折りたたみ式でない携帯電話機においても、本発明は、上記説明のように、適用することができる。
【００４５】
また、以上の説明では、カメラは１個であるが、カメラのレンズを正面側と背面側の両面に設け、内部に平面鏡を設け、正面側と背面側とのどちらの画面かを選択することも可能である。この場合、補助ライトは、正面側と背面側の両面にに設ける。
【００４６】
以上、本発明の実施形態を詳細に説明したが、上述した実施形態は本発明の好適な実施の形態であり、これに限定されるものではなく、本発明の要旨を逸脱しない範囲内において種々変形実施が可能である。
【００４７】
【発明の効果】
以上、説明したように、本発明の実施形態によれば、次のような効果が得られる。第一に、被写体の低輝度環境下での写真撮影における写真画像品質を向上できる。その理由は、カメラファインダーとして携帯電話機の正面側液晶ディスプレイを使用する場合と、携帯電話機の背面側液晶ディスプレイを使用する場合とに応じ、また、その時の写真撮影対象の環境の輝度に応じて、適した補助ライトの発光量を設定することが可能なためである。
【００４８】
第二に、写真撮影時の携帯電話機の使用者の操作を軽減できる。その理由は、カメラファインダーとして携帯電話機の正面側液晶ディスプレイを使用しているのか、携帯電話機の背面側液晶ディスプレイを使用しているのかに応じて、かつ、その時の写真撮影対象の環境の輝度に応じて、補助ライトの発光量を自動的に設定しているためである。
【００４９】
さらに、カメラファインダーとして、光学ファインダーを使用せず、正面側または背面側液晶ディスプレイを活用しているので、コストダウンに寄与することができる。
【図面の簡単な説明】
【図１】本発明のカメラおよび補助ライト付き携帯電話機の実施形態を示す外観斜視図である。
【図２】本発明のカメラおよび補助ライト付き携帯電話機の実施形態の制御を示すブロック図である。
【図３】本発明のカメラおよび補助ライト付き携帯電話機の実施形態の動作を示すフローチャートである。
【符号の説明】
１０１  制御部
１０２  正面側液晶ディスプレイ
１０３  背面側液晶ディスプレイ
１０４  キーボード
１０５  カメラ
１０６  補助ライト
１０７  無線部
１０８  アンテナ
１０９  撮影ボタン
【図１】
2004194083.tif 000003
【図２】
2004194083.tif 000004
【図３】
2004194083.tif 000005